(57)【要約】【課題】従来一体的構造であった給油取扱所の建物を分離式にして美観向上、視認性向上及びドライブウェーの拡大、利便性の向上を図り、更にキャノピーの無柱化やその表示マークの表示面としての拡大活用を図り、かつエコステーション化，リラックススペース化を図り、街並みの美観向上にも寄与する次世代多機能給油取扱所構造を提供する。【解決手段】販売室１（Ａ室）と事務室２（Ｂ室）及び整備３（Ｃ室）を分離構造にし、Ａ室を前面道路５に面して配置する。また、Ａ室は全面ガラス張りの透明のものでドライブウエ−４の表面より床面１ａが浮上の床下７を形成する。また、Ａ室には空中庭園９が形成され、下方には水張り部１０が設けられる。また、キャノピー６には支柱がなく、ドライブウェー４の拡大が図れる。【選択図】図１
2005059759.tif 000002
【特許請求の範囲】
【請求項１】
前面道路に連がる敷地内に、整備室，販売室，事務室，倉庫，休憩室等を有する建物と、給油や洗滌等のサービス装置と、車両の移動用通路（ドライブウエー）と、キャノピー等とを配置する給油取扱所構造であって、該構造は、前記建物がその一部又は全部を分離された構造からなり、分離された前記建物のいずれか又は全部が前記前面道路に面する位置に配置され、前記建物の分離構造と前記キャノピーの無柱化により、前記建物のまわりに前記ドライブウェーを形成することを特徴とする次世代多機能給油取扱所構造。
【請求項２】
前記建物が、その床面を地面から浮上させた構造からなることを特徴とする請求項１に記載の次世代多機能給油取扱所構造。
【請求項３】
前記建物がその外壁をガラスから形成することを特徴とする請求項１又は２に記載の次世代多機能給油取扱所構造。
【請求項４】
前記建物及び／又は前記ドライブウェーの一部をエコステーションスペースやリラックススペースに適用することを特徴とする請求項１乃至３のいずれかに記載の次世代多機能給油取扱所構造。
【請求項５】
前記エコステーションスペース等に配置される各種の什器，設備，緑化具，庭園，植栽，水盤等のリラックス用の構造物，工作物は、前記建物と一体的構造で単独移動不能構造に形成されることを特徴とする請求項４に記載の次世代多機能給油取扱所構造。
【請求項６】
前記キャノピーは、その全面又は一部が文字及び／又は絵柄又は照明部材等からなる外観美のある表示パネルとして用いられることを特徴とする請求項１に記載の次世代多機能給油取扱所構造。
【請求項７】
前記キャノピーが構造材を露出した形態のものからなることを特徴とする請求項１乃至６いずれかに記載の次世代多機能給油取扱所構造
の。
【請求項８】
前記キャノピ−が反射体又は照明体からなることを特徴とする請求項１乃至７のいずれかに記載の次世代多機能給油取扱所構造
【発明の詳細な説明】
【技術分野】
【０００１】
本発明は、道路に面して設置され、主に車両の給油や整備及びメンテナンスが行われる給油取扱所構造に係り、特に、従来の形態と大きく相異し、機能，外観美，視認性，快適性の向上を図ると共に、エスステーションスペースやリラックススペースとしても機能し、利用性，地球環境問題，安全性の向上が図れる次世代多機能給油取扱所構造に関する。
【背景技術】
【０００２】
給油取扱所の建築物はその利用性からドライブウェーに面して設置されているが、その構造としては図１３、図１４及び「特許文献１」、「特許文献２」、「特許文献３」、「特許文献４」に示すような構造のものからなる。即ち、図１３等において、給油取扱所のドライブウェ−４は前面道路５に面して配置されているが、販売室１（Ａ室），事務室２（Ｂ室），整備室３（Ｃ室）等の建物は一体的構造のものからなり、この建物の大部分は前面道路５から離れた奥側の位置にある。このため、給油取扱所における車両のドライブウェー４としては図１５（ａ），（ｂ）に示すように建物（Ａ，Ｂ）の背面や側面にはなく、複数の前面道路への最適なアクセスの障害となる問題点があった。また、図１４、図１６（ａ），（ｂ），（ｃ）に示すようにキャノピー６は必ず柱２７により支持され、ドライブウェーを狭くし、流通性を悪化させる問題点がある。また、キャノピー６としては外観美を有するものもあるが、図２０に示すように、従来のものは自社ロゴのサイン２８しかなく、その他の文字，絵画等の表示パネルとして使用されているものはない。また、図２１に示すように、キャノピー６は構造材２５と仕上材２６とを組み合わせた構造のものからなり、比較的高価のものからなる。また、図１７（ａ），（ｂ）に示すように、建物としてはその床面地面から浮いたもの、特にピロティ−状に浮いたものはない。、また、図１８（ａ），（ｂ）に示すように、外壁が壁材と窓から形成され、全体として室内が不透明であり全面ガラスの外壁を有するものは全くなかった。
【特許文献１】特開平６−８７４１５
【特許文献２】特開平６−１１５５９５
【特許文献３】特開２００２−１９５８６
【特許文献４】特開平１０−１７０９６
【発明の開示】
【発明が解決しようとする課題】
【０００３】
図１３等に示すように、建物（Ａ，Ｂ，Ｃ等）が一体構造で前面道路５から離れた位置にあるため、給油取扱所の利用者にとって利便性が悪く、仮りに綺麗な建築構造であっても視認性がなく、全体としてのアピール性も少ない。一方、「特許文献１」の特開平６−８７４１５の給油所にも建物が一体構造のものが示されている。また、従来の建物には図１４（ａ），（ｂ）に示すようにリラックススペースが殆どなく、給油や車の整備など、もっぱら即物的な行為が行われる場であって、利用者の快適性への配慮や、より使いやすくする配慮に欠ける問題点があった。更に、エコステーションとして機能するような給油取扱所は全くないのが現状である。また、図１５（ａ），（ｂ）に示すように、給油取扱
所のドライブウェー４は建物を囲んで形成されず、複数の前面道路への最適なアクセスを悪くする問題点があった。また、キャノピー６には図１６（ａ），（ｂ），（ｃ）に示すように、必ず太い柱２７があり、これがドライブウェー４を狭くする問題点があった。また、キャノピ−は直接照明され、この照明により必要以上明るくなり、ギラギラとした照明計画がなされ、周辺環境への悪影響、まぶしさ（グレア）など、快適性や環境性が無視されていた。なお、「特許文献１」の特開平６−８７４１５の「給油所」のキャノピーには支柱がないものが示されているが、支柱のないことについてはその特許請求の範囲及び発明の詳細な説明の欄にもなんらの記載がなく、この発明の特徴である照明性を強調するためにこの図面では支柱を省略したものと思われる。即ち、一般の給油所のキャノピーにはすべて支柱が設けられているのが普通である。また、「特許文献２」の特開平６−１１５５９５の「給油設備」、「特許文献３」の特開２００２−１９５８６の「洗車装置」、「特許文献４」の特開平１０−１７０９６の「給油装置」におけるキャノピーには全て支柱が設けられている。更に、図１７（ａ），（ｂ）に示すように、従来の建物は全てのものがその床面がドライブウエ−４の地面に接して形成され、床面側の通風性を低下させるのみならず道路側からの給油取扱所内の視認性がなく、安全性を低下させる問題点もある。更に、図１８（ａ），（ｂ）に示すように、従来の建物はその外面が耐力壁１５や不透明な構造体と窓・出入口１４で形成され、密室的であり、採光性や視認性が低下する問題点があった。更に、前記のように、給油取扱所にはエコステーションやリラックスステーションが殆どなく、植物等が配置されていても図１９に示すように什器２９等に植栽された移動式の植物３０の如きものであり、その給水も別の場所の水道源からの運搬水によるものが殆どである。また、緑地や庭園の如きものもなく、子供達が遊べる安全で楽しいリラックス設備も皆無であった。また、キャノピー６も図２１に示すように、構造材と仕上材を用いた高価のものであり、かつ大きな表示面があるにも拘らず単に自社のロゴのサイン２８を主に側面に表示するに過ぎず、表示スペースが有効使用されていない問題点があった。
【０００４】
本発明は、以上の各種の問題点を解決するもので、建物を分離し、機能性，作業性，快適性の向上を図ると共にこれを前面道路側に移動し、建物の回りの全面をドライブウェーとして利用でき、更に、無柱化を図り、ドライブウェーのスペースの拡大を図り、車両の流通性の向上を図ると共に、建物の構造を大きく変え、床面浮上や外壁の全面ガラス化を図り、外観美や通風性，視認性の向上を図り、更に、エコステーションスペースやリラックススペースを形成し、機能の向上とイメージの変化を図り、利用者にやすらぎを与え、かつ街並の一員として良好な地域環境の向上を図り、更に表示パネルとしてキャノピー等を利用し、広告，宣伝機能等の向上を図り、従来における給油取扱所のイメージを一掃した次世代多機能給油取扱所構造を提供することを目的とする。
【課題を解決するための手段】
【０００５】
本発明は、以上の目的を達成するため、請求項１の発明は、前面道路に連がる敷地内に、整備室，販売室，事務室，倉庫，休憩室等を有する建物と、給油や洗滌等のサービス装置と、車両の移動用通路（ドライブウェー）と、キャノピー等とを配置する給油取扱所構造であって、該構造は、前記建物がその一部又は全部を分離された構造からなり、分離された前記建物のいずれか又は全部が前面道路に面する位置に配置され、前記建物の分離構造と前記キャノピーの無柱化により、前記建物のまわりに前記ドライブウェーを形成することを特徴とする。
【０００６】
また、請求項２の発明は、前記建物が、その床面を地面から浮上させた構造からなることを特徴とする。
【０００７】
また、請求項３の発明は、前記建物がその外壁をガラスから形成することを特徴とする。
【０００８】
また、請求項４の発明は、前記建物及び／又は前記ドライブウェーの一部をエコステーションスペースやリラックススペースに適用することを特徴とする。
【０００９】
また、請求項５の発明は、前記エコステーションスペース等に配置される各種の什器，設備，緑化具，庭園，植栽，水盤等のリラックス用の構造物，工作物は、前記建物と一体的構造で単独移動不能構造に形成されることを特徴とする。
【００１０】
また、請求項６の発明は、前記キャノピーは、その全面又は一部が文字及び／又は絵柄又は照明体等からなる外観美のある表示パネルとして用いられることを特徴とする。
【００１１】
また、請求項７の発明は、前記キャノピーが構造材を露出した形態のものからなることを特徴とする。
【００１２】
また、請求項８の発明は、前記キャノピ−が、反射体又は照明体からなることを特徴とする。
【発明の効果】
【００１３】
１）建物分離により、機能性，作業性，快適性の向上が図れる。
２）建物を前面道路に配置することにより良好な街並み環境の形成や視認性やアピール性の向上が図れる。
３）建物の全面がドライブウェーになることにより良好な街並み環境の形成、視認性やアピール性の向上、車の流通性の向上やドライブウェーの機能向上が図れる。
４）無柱化によりドライブウェーの拡大化，視認性向上による安全性向上や視覚的障害物排除による美的空間の形成ができる。
５）建物を地面から浮かすことにより床下側の地盤面を水盤や植栽などに利用できると共に、視線、通風、日照の向上が図れる。また、通行安全性を高めることができる。
６）建物の外壁を全面ガラス張りにすることにより、開放的な建物となり、密室化の回避や採光、通風性の向上が図れる。また、隣地への圧迫感の低減、採光性の向上が図れる
７）エコステーションスペースやリラックスペースの形成により、休養所としての機能が高くなり、給油取扱所のイメージを一新する。
８）什器、設備、緑地、庭園、植栽、水盤等が建物と一体的に形成することにより、従来にない大規模のものが作れ、居心地性の向上、快適空間の形成ができる。
９）キャノピーを構造材のみで形成することによりコストダウンが図れ、かつ美観変化もでき、外観美向上が図れる。また、キャノピーを表示パネルとし用い、かつ表示パネルの照明により、キャノピーとの機能の向上が図れる。
１０）  また、キャノピ−を直接照明でなく、反射体や照明体することにより、ギラギラがなく、照明美の向上が図れる。
【発明を実施するための最良の形態】
【００１４】
図１及び図２に本発明の次世代多機能給油取扱所構造の概要構造を示す。給油取扱所に設置されている建物としては整備室，販売室，事務室，倉庫，休憩室等があるが、図１では、建物を仮りに３つの室Ａ，Ｂ，Ｃとし、これ等がＡ，ＢとＣとに分離されている場合について説明する。また、この場合Ａ室を販売室１とし、Ｂ室やＣ室をそれ以外の室、例えば、事務室２（Ｂ室）、整備室３（Ｃ室）と仮定する。図示のように販売室１（Ａ室）と事務室２（Ｂ室）は給油取扱所のドライブウエ−４の前側で前面道路５に面して配置され、整備室３（Ｃ室）はこの場合ドライブウエ−４の奥側に配置される。また、販売室１（Ａ室）にはその屋根にキャノピー６が設けられているが、このキャノピー６は支柱がない構造からなる。また、販売室１（Ａ室）の床面１ａはドライブウエ−４の地表面から浮いた状態で配置され、この床下７から奥の整備室３（Ｃ室）やドライブウエ−４を見ることができる。また、販売室１（Ａ室）のドライブウエ−４側と前面道路５側の外壁はガラスからなり、室内が透明のものからなる。これにより、前面道路６の通行者の視認性が向上し、かつ街並みの美観向上にも寄与する。加えて、整備室３（Ｃ室）の外壁もガラス面とし、ドライブウエ−４や前面道路５からの視認性を向上し、隣家経の圧迫感を低減している。また、キャノピー６の屋根面や側面及び天井面には表示パネル８，８ａ，８ｂ等が設けられている。また、キャノピー６の天井面を反射面にして下部から照明器具１２により投光し間接照明によって給油取扱所の全体を柔らかく均一にして快適性や照明度の向上を図ることもできる。これにより、省エネルギ化も図れる。また、販売室１（Ａ室）の内部には空中庭園９が一体的に形成され、「エコ性」の向上や「やすらぎ性」の向上等を図ることができる。また、販売室１（Ａ室）の下面側には、例えば、水張り部１０が形成される。この水張り部１０の給水は、上水道のみでなく井戸水を利用することにより、安定供給と省エネができる。また、図２に示すように事務室２（Ｂ室）や整備室３（Ｃ室）の裏側には固定的な植栽１１を設置し、「エコ性」や「リラックス性」等の向上を図ることができる。以上のように図１、図２は本発明の全体構成の概要を模式的に説明したものであるが、以下、本発明の詳細の内容を図面を参照して詳述する。
【実施例１】
【００１５】
図３は、販売室１（Ａ室）及び事務室２（Ｂ室）を前面道路５側に設置し、販売室１（Ａ室）等と分離された整備室３（Ｃ室）をドライブウエ−４の奥側に配置した実施例を示す。また、図４は販売室１（Ａ室）と事務室２（Ｂ室）と整備室３（Ｃ室）とを夫々分離し、夫々を図示のように分離配置したものを示している。なお、建物としては前記のようにＡ室，Ｂ室，Ｃ室に限るものではなく、また、これ等の分離構造や配置は任意に設定される。
【実施例２】
【００１６】
図５は分離された建物と前面道路５との関係及びこれにより形成されるドライブウェーについての数例を示すものである。なお、図示では説明の都合上、分離された室をＡ室及びＢ室とする。図５（ａ），（ｂ）は前面道路５が１方向の場合であり、Ａ室，Ｂ室を直列（ａ）又は並列（ｂ）に配置した場合である。この場合、ドライブウェー４は図示のものからなる。図５（ｃ），（ｄ），（ｅ），（ｆ）は前面道路５が２方向にある場合におけるＡ室，Ｂ室の配置とドライブウェー４の種々の形態を示すものである。また、図５（ｇ），（ｈ）は前面道路５が３方向、図５（ｉ）は前面道路５が４方向の場合である。以上のように、従来技術の場合に較べてドライブウェー４を柔軟に計画することができ、Ａ室やＢ室の回りのほぼ全面がドライブウェー４となることができる。
【実施例３】
【００１７】
図６（ａ），（ｂ）は分離されたＡ室及びＢ室とキャノピー６の構造を示すものである。この場合、キャノピー６はＡ室の上面に基部を固定したものからなり、Ｂ室側に向かって伸延し片持ちされたものからなる。なお、図示のようにキャノピー６には支柱がない。よって、Ａ室とＢ室との間は障害物のない空間が存在し、ドライブウェーの拡大や流通性の向上が図れる。
【実施例４】
【００１８】
図７（ａ），（ｂ）は分離されたＡ室がドライブウエ−４の地表面からピロティ−状に浮いて設置されている実施例を示す。浮上構造については任意のものでよく、図示のようにＡ室の下面に床下７が存在する。この床下７は極力広いことが望ましい。また、人間が通過できる広い床下７であれば更に望ましい。
【実施例５】
【００１９】
図８（ａ），（ｂ），（ｃ），（ｄ）は外壁を全面をガラス張りにしたＣ室を示す。従来技術では、図１８に示すように、建築物の外壁は耐火構造又は不燃材料の壁・柱と防火設備の窓・出入口により形成されていたが、外壁に構造耐力不可欠な壁と柱があるために全面ガラス、つまり窓と出入口のみによる構成例はなかった。そこで、構造耐力状不可欠な壁と柱とを外壁から分離して、耐力壁１５のように建物中央部に柱や壁を配置したり、柱１４のように外壁から隔離して配置するなどして、外壁をガラスのみで形成することができる。つぎに、窓と出入口を防火設備のガラスで構成することによって建物の４辺、３辺、２辺、１辺の外壁について、全面もしくは任意の部分をガラス張りにすることできる。全面ガラスにすることにより、内部がよく見えて視認性の向上が図れると共に、明るくなり、照明性の向上が図れる。また、外観美の向上も図れる。
【実施例６】
【００２０】
前記のように、給油取扱所にはエコステーション的なものが少なく、植栽についても前記の図１９に示すようにポットなどの什器２９に植栽した植物３０、運搬可能な小さなものしかなかった。図９（ａ），（ｂ），（ｃ），（ｄ），（ｅ），（ｆ）は本発明における植栽に関する数例を示すものである。図９（ａ），（ｂ）はドライブウエ−４に凹部１６を形成し、ここに客土１７を入れて植木床１８を形成し、グリーン植物１９を植栽したものである。図９（ｃ）は建物、例えば、Ａ室の屋根２０を利用し、これに構造材２１を設け、ここにグリーン植物１９等の植栽を行い空中庭園９を作ったものである。図９（ｄ）はその見上げ図である。また、図９（ｅ），（ｆ）は建物の屋根２０上に土床を作り、この上にグリーン植物１９等を植栽し、屋上庭園を形成したものである。
【実施例７】
【００２１】
図１０は建物やドライブウエ−４等に設けられた水盤の数例を示す。図１０（ａ），（ｂ）は敷地４の部分に水の溜まる凹部２２を設け、ここに水を張って水盤２３を形成したものである。また、図１０（ｃ）は建物の屋上から浮かせた位置に水盤２３を設けたものであり、図１０（ｄ）は建物の屋上に水盤２３を設けた例である。また、図１０（ｅ）は以上の図１０（ｄ）の水盤２３内の水を満水にして建物の外壁・スクリ−ン３２に沿って流下するようにして夏期には外気蒸散効果による涼風新鮮空気を室ないに導入して省エネ化を図ると共にエコ化やリラックス化を図るようにした例である。
【実施例８】
【００２２】
図１１は本発明におけるキャノピー６を示す。本発明の場合、キャノピー６はその全面を表示パネルとして用いる。従来では、前記の図２１のように自社のロゴマークのサイン２８や社名のみをキャノピー６の側面に設けていた。しかしながら、キャノピー６は広い面積を有し、かつ多面体であり、目立つ位置に配置されているため、ここに自社ロゴに限らず必要な表示情報や各種の文字，絵柄を描き、かつ宣伝，広告用の表示マーク２４をキャノピ−６の側面，屋根面，天井面に設けることにより表示性の拡大が図れ、広告塔としても省される。また、それによる広告収益を得ることも可能である。
【実施例９】
【００２３】
図１２は、本発明におけるキャノピー６の構造を示す概要図である。従来のキャノピー６は図２１に示すように構造材２５を基材としてこの外面に仕上材２６を設けていたものからなるが、本発明のキャノピー６は構造材２５のみにより形成されるものである。即ち、仕上材２６を廃止し、構造材２５をむき出しの状態とし、コスト低減を図ると共に、構造材２５のみによる形態としての美観を強調するようにしたものである。
【００２４】
以上の各実施例は本発明に係る各部の数例を示したものであり、分離される室の種類や数や分離形態及び前面道路５との関係、エコ化やリラックス化ややすらぎ化等の手段やキャノピー６の構造形態について前記のものに限定するものではない。また、外壁の全面ガラス化の形態についても前記実施例のものに限定するものではない。
【産業上の利用可能性】
【００２５】
本発明の給油取扱所は従来のすべての給油取扱所に変るものとして利用されると共に、この基本的コンセプトは給油取扱性に限らず、従来より作業性のみが強調されていてエコ化やリラックス化の少ない場所や視認性の悪い建物等に対しても適用されることは勿論である。
【図面の簡単な説明】
【００２６】
【図１】本発明の次世代多機能給油取扱所構造の概要全体構造を示す模式的斜視図。
【図２】図１の側面図。
【図３】Ａ室とＢ及びＣ室とを分離構造にした本発明の給油取扱所構造を示す模式的平面図。
【図４】Ａ室とＢ室とＣ室とを夫々分離した本発明の給油取扱所構造を示す模式的平面図。
【図５】Ａ室及びＢ室の前面道路が１方向（ａ），（ｂ）、２方向（ｃ），（ｄ），（ｅ），（ｆ）、３方向（ｇ），（ｈ）、４方向（ｉ）の場合の分離配置に基づく各種のドライブウエイの形態を示す模式的平面図。
【図６】本発明のキャノピーの無柱化を示す模式的平面図（ａ）及び模式的斜視図（ｂ）。
【図７】本発明の建物の浮上構造を示す模式的正面図（ａ）及び模式的斜視図（ｂ）
【図８】本発明の外壁が全ガラス張りのＡ室を示す模式的斜視図（ａ），（ｃ）及び模式的上面図（ｂ），（ｄ）。
【図９】本発明のエコステーション化やリラックススペース化の数例を示す模式図（（ａ），（ｂ），（ｃ），（ｄ），（ｅ），（ｆ））。
【図１０】本発明のリラックススペースとしての水盤の各種構造を示す模式図（（ａ），（ｂ），（ｃ），（ｄ），（ｅ））。
【図１１】本発明のキャノピーの表示マークを示す模式的斜視図。
【図１２】本発明のキャノピーの構造を示す模式的一部斜視図。
【図１３】従来の給油取扱所の一体的建物の構造を示す模式的平面図。
【図１４】従来の給油取扱所構造を示す模式的側面図（ａ）及び模式的斜視図（ｂ）。
【図１５】従来の給油取扱所の建物とドライブウェーとの関係を示す模式的平面図（（ａ）は前面道路が１方向の場合、（ｂ）は前面道路が２方向の場合）。
【図１６】従来のキャノピーの支柱構造を示す模式的平面図（（ａ），（ｂ））と模式的斜視図（（ｃ））。
【図１７】従来の給油取扱所の建物と敷地との関係を示す模式的正面図（（ａ））及び模式的斜視図（（ｂ））。
【図１８】従来の不透明壁材と窓とで囲まれた給油取扱所の建物構造を示す横断面図（ａ）と模式的斜視図（（ｂ））。
【図１９】従来の給油取扱所に設けられている植物構造の一例を示す模式図。
【図２０】従来のキャノピーの自社ロゴのサインを示す模式的斜視図。
【図２１】従来のキャノピーの構造を示す模式的一部斜視図。
【符号の説明】
【００２７】
１    販売室（Ａ室）
１ａ  床面
２    事務室（Ｂ室）
３    整備室（Ｃ室）
４    ドライブウエ−
５    前面道路
６    キャノピー
７    床下
８    表示パネル
８ａ  表示パネル
８ｂ  表示パネル
９    空中庭園
１０  水張り部
１１  植栽
１２  照明器具
１３  ガラス
１４  窓・出入口
１５  耐力壁
１６  凹部
１７  客土
１８  植木床
１９  グリーン植物
２０  屋根
２１  構造材
２２  凹部
２３  水盤
２４  表示マーク
２５  構造材
２６  仕上材
２７  柱
２８  サイン
２９  什器
３０  植物
３１  敷地
３２  外壁・スクリ−ン
【図１】
2005059759.tif 000003
【図２】
2005059759.tif 000004
【図３】
2005059759.tif 000005
【図４】
2005059759.tif 000006
【図５】
2005059759.tif 000007
【図６】
2005059759.tif 000008
【図７】
2005059759.tif 000009
【図８】
2005059759.tif 000010
【図９】
2005059759.tif 000011
【図１０】
2005059759.tif 000012
【図１１】
2005059759.tif 000013
【図１２】
2005059759.tif 000014
【図１３】
2005059759.tif 000015
【図１４】
2005059759.tif 000016
【図１５】
2005059759.tif 000017
【図１６】
2005059759.tif 000018
【図１７】
2005059759.tif 000019
【図１８】
2005059759.tif 000020
【図１９】
2005059759.tif 000021
【図２０】
2005059759.tif 000022
【図２１】
2005059759.tif 000023